(57)【特許請求の範囲】
【請求項１】
杉林を活用するものであり、従来のように建物全体を支えるコンクリートの基礎や柱を支える床束を必要とせず、前記杉林に生育する根を生やした生きている杉の立木そのものを基礎兼柱に活用するものであり、前記杉林の土壌に根をはやした複数本の立木を活かして基礎兼柱として活用し、柱とする樹木の上部を使用目的に応じて地面から適切な長さで高切りし、先端にV字型に切込みを入れ、ほぞ加工して梁を持ち上げて梁として架けるのであり、杉の立木の柱で支えられていて、横材等は、柱で支えられている梁であり、垂木を受ける軒桁であり、屋根の下地を支える垂木であり、屋根の骨組みで一番高い部分の棟木であり、屋根を支え垂木を受ける母屋であり、梁の上に立ち、母屋を支える小屋束であり、地中に根を生やした生木の杉の立木を活かして基礎兼柱とするものであり、地表から見える箇所だけでなく、柱のできるだけ地中の深いところまで杉皮をむいておくことで、根腐れ、害虫予防するようにしているのであり、その上部は皮をむいて外気に触れさせ、四季の空気に触れさせることで、柱の湿度を調整し強度を高めるようにした樹林中の立ち木を活用した生物学的建築づくりの方法。
【請求項２】
請求項１に記載の方法を用いて自然乾燥の屋根板を設けた屋根下空間では、杉などの間
伐材の保管、それらを利用した木工製品の保管、建材加工機の保管、杉材などの自然乾
燥ハウスなどとしての利用方法。
【請求項３】
請求項１に記載の方法を用いて自然乾燥の屋根板を設けた屋根下空間では、食糧の吊る
し乾燥保管、食糧の加工保管などに利用するとともに杉素材のテーブル及び椅子を設置
し、土間は、土をそのまま生かし整地した状態あるいはコンクリートを打ち、又はその
上に、建てた場所の杉林の杉板を敷き、その空間で、杉林の空気を吸いながら、食事体
験、勉強会などや、各種の物づくり体験(ワークショップ)に活用できるようにした自然
乾燥ハウスなどとしての利用方法。
【請求項４】
請求項１に記載の方法を用いて自然乾燥の屋根板を設けた屋根下空間では、杉林の空気を吸いながら、食事体験や各種の物づくり体験で所定時間過ごした後に、身体にとって有効な還元作用があったかどうかの確認を、ヒト唾液ORP測定装置を用いて行い、体験者の身体が還元作用に導かれることが確認できるようにする自然乾燥ハウスなどとしての利用方法。
【請求項５】
請求項１に記載の方法において、杉林を活用することに代えて、多様な種類の木々が混在する樹林を活用する樹林中の立木を活用した生物学的建築づくりの方法。
【請求項６】
請求項１に記載の方法を用いて自然乾燥の杉の屋根板を設けた屋根下空間では、新月伐
採の自然乾燥、又は伐採した杉の幹から枝葉を付けたまま葉枯らし乾燥する自然乾燥ハウスなどとしての利用方法。
【発明の詳細な説明】
【技術分野】
【０００１】  本発明は、従来の建築のような基礎や束石を必要とせずに、地中に根を生やした杉など樹木の生木の状態、すなわち根っこを生かした立木の状態のものを、安全な技術で高切して柱とし、切り倒した部分を梁や桁として、安全な方法で組み上げた、樹林中の立木を活用した生物学的建築づくりの方法および自然乾燥ハウスの利用方法に関するものである。【０００２】  従来の屋根を設ける建築物においては地盤の上に建物全体を支える基礎や柱を支える束石（つかいし）、等の基礎工事を必要としているのが現状である。
【背景技術】
【０００３】  従来の木材建築構法では基礎工事の後に加工した木製柱などを組み上げるため、建築現場で生えている木を、その場で建築材として有効利用しようと考えても、伐採直後の杉材などは黒芯および赤芯部に酵素や水分を多く含み重量が大きく、伐採し加工場に移送しさらに建築現場に戻すための運送経費が多額にかかることから、杉材などが秘めている人体に有用な酵素を人工乾燥などにより壊すことなく有効活用した、建築物を計画しても、経済的理由で断念せざるを得ない状況である。【０００４】  そこで、本発明では、従来の建築のような基礎や束石を必要とせずに、地中に根を生やした杉などの樹木の生木の状態、すなわち根っこを生かした立木の状態のものを、安全な技術で高切して柱とし、切り倒した部分を梁や桁として安全な方法で組み上げた、生物学的な建築物の構法を採用し、その生物学的建築物を活用した乾燥ハウス等の拠点を杉林伐採場所の林の中に設けることに着眼したのである。本発明の請求項１、２、３、４、５における３０年以上の年輪を重ねた杉材にこだわる理由は、杉では、年輪を重ねるほど中心部に黒芯、赤芯部が拡がり、杉材が持つ消臭、殺菌、癒し効果の強い酵素が温存されているからである。またこのことにより自然乾燥の杉材の耐久性はそれらの酵素が壊れていないことにより、格段に大きいのである。これらの事実を証明する杉材利用としては、黒芯、赤芯部を特に多く含む５０年、１００年を超えた杉が、味噌、醤油、酒樽に用いられ、それらの中身が腐ることなく何百年と継承されていることからもその事実が証明されているのである。発酵商品を製造する蔵元では、麹菌とともに杉樽の継承が重要とされているのである。奈良の正倉院では校倉造の柱には檜が使われているが、その中の１０００年前のシルクロード文化を保管する収納箱は杉材が用いられている。この杉箱に保管された１０００年を超える衣類、書物、薬草、食糧が腐敗することなく保管されている事実に、注目せねばならない。本発明が意図するところは、上記の理由により、有用な杉材が持つ酵素などを壊すことなく、杉林に生育する生きている杉そのものを柱等の建築材に活用した生物学的な建築づくりと、自然乾燥ハウスなどとしての利用方法である。【０００５】  杉材の年輪の中心部には、樹齢を重ねるほど黒芯、赤芯という黒や赤味がかった、消臭、殺菌、癒し効果の強い酵素が多量に温存され蓄積されるのである。したがってこれらの酵素を壊さない自然乾燥の方法をとれば、杉材の柱、梁等の耐久性は格段に上がるのである。当該の生きた立木の杉を柱として活用した、生物学的建築物の天井にも杉材を自然乾燥した屋根板を設け、その屋根下の空間で、杉林の空気を吸いながら食事体験や各種の物づくり体験を行うに際し、日本厚生省認可のヒト唾液の酸化還元電位（ＯＲＰ）測定装置で、体験前と体験後の参加者の体調変化を測定した。そして、杉林の中に設けられた前述のような生物的建築の屋根板下空間で過すことで、参加者の身体が還元状態に導かれていることを測定装置の数字データーで確認した。このことから、本発明すなわち土壌に根をはらした状態の杉を柱及び梁とした生物学的建築づくりと、その建物を自然乾燥ハウスおよびその他の目的に利用することを、日本全土に広がる杉林を活用して行う事により、それら杉林が、清らかな水や陰極（マイナスイオン）空気を生成する貴重な資源となりえるといえる。このように本発明を使い日本の森林を活用することが人々の健康と国益につながると考えるのである。
【先行技術文献】
【特許文献】
【０００６】  日本の特許文献には、特許第４３５５３０３号の乾燥時間を短縮してコストを低減する低温乾燥装置及びパネル体並びにパネル体の組立方法の提供と、特願２００５−２３３１０７の木材の着色方法等を塗布方式から含浸方法にして好適に薬剤処理し得る木材の処理方法、木材の処理方法に用いる樹水の取得方法、木材の処理方法に用いる樹水、木材の処理方法に用いる添加水、木材の処理方法により作成された処理木材を提供するものならびに特願２００３−３２１２５８の地震や交通振動によって建物に加わる外力に対して、横架材と縦柱との接合箇所の耐力を充分に保持できる木材建築用部材の接合構造を提供しているものがある【０００７】  日本の特許文献１では、前記特許文献１および特許文献２号乾燥時間を短縮してコストを低減する低温乾燥装置及びパネル体並びにパネル体の組立方法を提供している。日本の特許文献３では、地震や交通振動によって建物に加わる外力に対して、横架材と縦柱との接合箇所の耐力を充分に保持できる木材建築用部材の接合構造を提供している。【０００８】  日本の特許文献２では、特願２００５−２３３１０７の木材の着色方法等を塗布方式から含浸方法にして好適に薬剤処理し得る木材の処理方法、木材の処理方法に用いる樹水の取得方法、木材の処理方法に用いる樹水、木材の処理方法に用いる添加水、木材の処理方法により作成された処理木材を提供している。【０００９】  日本の特許文献３では、特願２００３−３２１２５８の地震や交通振動によって建物に加わる外力に対して、横架材と縦柱との接合箇所の耐力を充分に保持できる木材建築用部材の接合構造を提供している。【００１０】  前記特許文献１および特許文献２、特許文献３においては、従来の建築のような基礎や束石を必要とせずに、地中に根を生やした杉など樹木の生木の状態、すなわち根っこを生かした立木の状態のものを、安全な技術で高切して柱とし、切り倒した部分を梁や桁として、安全な方法で組み上げた、生物学的な建築物の構法及びその生物学的建築物を活用した自然乾燥ハウスなどとしての利用方法についての発想がない。さらには本特許出願では本発明の建物の下で、各種のワークショップを行いながら、所定時間過ごした前後おける、厚生省認可のヒト唾液の酸化還元電位（ＯＲＰ）測定による検証で（データは後述する）体内の生体液である唾液が還元方向に示すことを確認したのである。ワークショップとは、学びや創造、問題解決やトレーニングの手法として周知されている。すなわち、参加者が自発的に作業や発言をおこなえる環境が整った場において、参加者全員が一定ルールを守りながら自由に体験するものとされているものであり、これらのワークショップを併用する発想、着眼は他の特許文献にはなく、本発明とは技術的意図を全く異にする。【００１１】
【特許文献１】特許第４３５５３０３号
【特許文献２】特願２００５−２３３１０７
【特許文献３】特願２００３−３２１２５８
【発明の概要】
【発明が解決しようする課題】
【００１２】  従来、杉林などにおいて、有用な杉材が持つ酵素などを壊すことなく、杉林に生育する生きている杉そのものを柱等の建築材に活用した建築を作ったり、その建物を自然乾燥ハウス、体験ハウスなどとして利用しようと試みても、加工のための搬出コスト及び製材コストがかかることにより、そのような杉材活用を断念せざるをえなかった。
【課題を解決するための手段】
【００１３】  そこで、本発明では、従来の建築のような基礎や束石を必要とせずに、地中に根を生やした杉など樹木の生木の状態、すなわち根っこを生かした立木の状態のものを、安全な技術で高切して柱とし、切り倒した部分を梁や桁として、安全な方法で組み上げた、生物学的な建築物を建設しその生物学的建築物を活用した自然乾燥ハウス、体験ハウスなどを杉林伐採場所の中心に活動拠点として設けることに着眼したのである。これにより、伐採の杉山から建材加工場へ木材を搬送し加工するコストの軽減が図られるとともに、さらに杉材の黒芯、赤芯部分が持つ消臭、殺菌、癒し効果の強い、自然環境下で熟成された酵素の有効活用が推進されるのである。杉等の国内人工林において、上記方法による間伐材等伐採木材の利用拡大により、植樹から伐採利用までの循環利用方法が形成され、人工林に人の手や経済がもたらされ、里山などの自然環境が守られるとともに雇用の促進にもつながると考える。
【００１４】  さらに、本発明においては、生きた立木杉の柱利用による生物学的建築の天井に自然乾燥した杉材の屋根板を設けた屋根下の空間利用として、杉材自然乾燥作業ハウス、自然乾燥した杉材を使った収納容器づくりの他、杉林の中に設けられた建物下で杉林の空気を吸い、食事体験、各種の物づくり（ワークショップ）体験をしながら過ごせるようにする。
【００１５】  上記目的を達成するために、本発明は（［請求項１］の構成要件とで、生きた杉の立木を柱に使った生物学的建築の天井に自然乾燥した杉材の屋根板を設けた空間下で、杉林の空気を吸い、各種のワークショップを行いながら、所定時間過ごした前後おける人体の状態は、厚生省認可のヒト唾液の酸化還元電位（ＯＲＰ）測定による検証で（データは後述する）体内の生体液である唾液が還元方向に示すことを確認したのである。本発明の生きた杉の立木を柱に使った生物学的建築の天井に自然乾燥した杉材の屋根板を設けた空間下で、杉林の空気を吸いながら、所定時間過ごした前後おける、体調度変化を確認するために、日本の厚生省認可のヒト唾液の酸化還元電位（ＯＲＰ）測定装置での測定により、参加者の体内が還元作用に導かれることを確認するための検証を実施したのである。
【発明の効果】
【００１６】  以上の説明から明らかなように、本発明にあっては次に列挙する効果が得られる。
（１）（［請求項１］の構成要件）とで構成されているので、ヒト唾液の酸化還元電位に（ＯＲＰ）測定手段を用いて、本発明の有効性を証明するために、厚生労働省認可の医療機器として認証されているヒト唾液ＯＲＰ測定装置を用いて、本発明の生物的建築の天井に自然乾燥の杉材の屋根板を設けた空間下における杉材自然乾燥作業、杉材を自然乾燥した杉材利用の収納容器づくり、、また杉林の空気を吸いながらの食事体験、各種の物づくり（ワークショップ）体験など行いながら、杉林の中に設けられた屋根の下で過ごすことで、体内を元気にし免疫力を高める還元作用となるかどうかの検証も実施したのである。
【００１７】  （２）前記（１）によって、今まで自然界における空気や酵素等の人体に対する有効性を客観的に数値化することが困難だったことから、本発明の杉林を活用した生物学的建築づくりと自然乾燥ハウスなどに利用活用することが、いかに人体に対し有効であるかを証明するため、ヒト唾液の酸化還元電位（ＯＲＰ）測定手段を用いたのである。
【００１８】  （３）請求項２至る請求項６も前記（１）〜（２）と同様な本発明の杉林を活用した生物学的建築づくりと自然乾燥ハウスなどに利用活用することが、いかに人体に対し有効であるかの証明は、ヒト唾液の酸化還元電位（ＯＲＰ）測定手段を用いることで可能なのである。さらに、新月の頃に伐った木は虫がつかないとされていることから、古来から継承さている新月伐採（図示せず）の自然乾燥にも活用するものであり、又は伐採した杉の幹に枝葉を付けたままの葉枯らし（図示せず）乾燥にも自然乾燥ハウスを活用するが、立木を活用した生物学的建築づくりの方法および自然乾燥ハウスを活用する限りにおいては、これらの伐採手段に限定するものではない。
【実施例】
【００１９】  以下、本発明においては、まず生きた杉の立木を柱に使った生物学的建築の天井に自然乾燥した杉材の屋根板を設けた空間下で、杉林の空気を吸いながら、自然乾燥した杉材の収納容器づくり、食事体験、各種の物づくり体験ができるようにする。本発明の、土壌に根をはらした状態の立木杉を柱にした生物学的建築の、天井に自然乾燥の杉材の屋根板を設けた空間下における体験前と体験後における人体の状態を、人体の体調変化を確認できる日本の厚生省認可のヒト唾液の酸化還元電位（ＯＲＰ）測定器による測定で、体内が還元状態に導かれることを確認するための検証を実施し、その測定結果を表１、表２に示した。【００２０】  表１は、杉林の中で杉玉づくり体験、玄米ご飯を炊いてカレーを作って食べる体験、勉強会、間伐した杉の木の皮をむく作業体験、地中に根を生やした生木の状態の杉の立木を柱に活用し、その柱に伐採した杉の梁を架け、自然乾燥した杉の屋根を設けた建物で、雪や雨露をしのぎながら木材を自然乾燥する。さらに自然乾燥させる杉材丸木の皮をむいたり、杉丸太を設置する作業などの他、屋根の下の空間を利用して各種の物づくり（ワークショップ）体験を行った。ただし、表１および表２の測定とも、飲食による酸化還元反応と誤認されないよう、何も飲食せずに、本発明における樹林を活用した生物学的な建築構法による自然乾燥ハウスの下で、森の空気を吸い込みながら、各種作業の前後における参加者の体調や体感などの状態確認を、日本の厚生省認可の一般医療機器であるヒト唾液ＯＲＰ測定装置を使って実施した。モニターは２０代から６０代の男女を６名で、それによる結果は、森に入ったばかりで、ものづくり体験前の唾液の酸化還元電位値と体験後におけるその数値は変化しており、杉林内で所定時間過ごす事により、明らかに体内が還元方向へ変化したことを示唆する結果となった。
【表１】
0006550551.tif 000002
【００２１】  さらに、表１で示した測定実施の１か月後、２度目の検証を２０１５年１２月５日に実施し、表２に示すように、本発明の杉林の中でのものづくり体験前の参加者の唾液の酸化還元電位値と、体験後におけるその数値を比較すると、明らかに体内が還元方向に変化したことを示したのである。よって、表１に示された１回目の杉林を有効活用した体験前後における体調度変化だけが偶然に還元方向への変化を示したものではなく、表２における追認臨床調査においても同様の結果が得られたことから、杉林の中の、生きた立木を活かした建築、およびそこでの各種体験（ワークショップ）は、本発明の所期の作用効果をもたらすことが実証されたのである。
【表２】
0006550551.tif 000003
【００２２】  後述する図１および図で示された樹林を活用した生物学的な建築による自然乾燥ハウスづくりと、それらを利用し、その環境下で作業したり、各種森林活用の体験活動（ワークショップ）をすることによる、体感、体調の状態の変化の測定を、日本の厚生省により認可された一般医療機器であるヒト唾液の酸化還元（ＯＲＰ）測定装置を使って実施した。２０代から６０代の男女、延べ１２名のモニターによる測定結果は、表１および表２に示すとおりである。森に入ったばかりで、ものづくり体験前の参加者の唾液の酸化還元電位値と森の活動体験後におけるその数値は、女性４人の体験前の唾液酸化還元数値の平均が８４．２５ｍＶ、体験後、血液を通して唾液が生産され、体内の酸化還元反応が色濃く表れる３０分後においては平均が５６．５ｍＶを記録した。一方、男性８人の体験前の唾液酸化還元数値の平均が８８．８７ｍＶ、体験後、血液を通して唾液が生産され、体内の酸化還元反応が色濃く表れる３０分後においては平均が５６．５ｍＶを記録した。このことから、杉林の中の、根っこを活かした立木を使った生物学的建築によるハウス、及び森の中での体験（ワークショップ）などは、人間の身体を酸化状態から還元状態に変化させることが明らかとなった。１２人の男女の唾液ＯＲＰ測定のデーターから総合的に判断する事により、たまたま一人が偶然に体内が還元されてたことではないことが判明した。本特許申請は、ただ単に杉林だけでの有効利用に限定するのではなく、本申請の内容を、世界各地に自生する多種多様な森の樹林にも当てはめてそれらの森林を有効活用することで、地球環境の保全に寄与し、そしてさらに、森林において人間の健康と自然が共生関係が築けるものと考える。
【図面の簡単な説明】
【００２３】
【図１】本発明の図１は、地中に根を生やした杉等の木を生木の状態、すなわち根っこを活かした立ち木の状態のものを、安全な技術で高切して柱とし、切り倒した部分を梁や桁として安全な方法で組み上げた、生物学的な建物を作るものである。それと同時にその屋根下を利用して間伐杉等を貯蔵保管し、自然乾燥することにより杉林等の樹木の有効活用を示す一例図である。図２は、杉林の中に設けられた前記建物の屋根板下において、杉林の空気を吸い食事体験したり、各種の物づくり体験等を行いながら過ごすことで、杉林を有効活用すると同時に、その中で働き、過ごすことにより人々の体調が酸化状態から還元状態に変化されることによる、心身に対する顕著な効果も期待できるという、本発明の所期の目的を達成させるための取扱説明書の図面である。
【発明を実施するための形態】
【００２４】  本発明の図１は、地中に根を生やした杉の木を生木の状態、すなわち根っこを活かした立木状態のものを、安全な技術で高切して柱とし、切り倒した部分を梁や桁として、安全な方法で組み上げた、生物学的な建物を造るものである。それと同時にその屋根下を利用して間伐杉材などを貯蔵保管し、自然乾燥することにより杉林などの樹木の有効活用を示す一例図である。
【００２５】  図１について説明する、１は本登録申請の杉林等及び杉等の生きた立木を活用した生物学的な建築による自然乾燥ハウスづくりと利用方法の一例図である。２は、屋根であり、３は、地中に根を生やした立ち木の状態を活かして支柱として任意の長さで安全な方法で高切りし、先端に梁をかませるようにＶ字型に切り込みを入れたり（切断方法は限定せず）して７の梁を安全な方法で持ち上げて架け、２の屋根の重さに耐えうるような強度を持たせるようにしたものである。さらに４は、間伐、又は風雪などで倒木した杉およびその他の樹木を、本発明が意図とする自然乾燥させるために杉等の丸木を移動するために吊るすチェーンを装備させたものである。５は、杉林の中に、自然乾燥させる本発明のハウスが立地するその杉林を示す。６の建物のように、自然乾燥させるハウスと並んで丸木を板に加工したり、又は杉皮をむく製材所も設けることで、杉材が軽くなり、杉材を建設現場へ移動するコストが軽減できるのである。７は、梁であり、３で示す地中に根を生やした立木の皮をむき柱として利用して東西南北に樹皮を剥いだ丸太の梁を安全な方法で持ち上げ架けるのであり、８のように、丸木積み上げに小型のフォークリフトを活用したりするのであり、９は、地中に根を生やした生木の状態の立木を活かして基礎兼柱とするものであり、１０は、柱のできるだけ深いところまで樹皮をむいておくことで、根腐れ、害虫予防するようにしている。１１は、杉等の丸木を皮をむいた後、交互に積み上げて空気の流入を良くして均等に自然乾燥させるようにしたものである。
【００２６】  そして、１２は、積み上げた丸木がばらけないように安全性に考慮してストッパーを設けたのであり、１３は、杉林の自然乾燥ハウスの中で作業する人たちはヘルメットかぶり、安全作業服を着用して作業するのであり、１４は、ハウス１棟ごとに番号を付けることで、自然乾燥を開始した年月日が記録され、乾燥状態の目安、出荷活用の目安とするためにハウス番号棟の記録がパソコン集計プログラムにより管理できるようしている、そしてこれは、同時にプリントアウトし、紙記録でもファイル保管するようにしているのである。
【００２７】  つづいて本発明の図２ついて説明する。１５は本発明の本登録申請の樹林を活用した生物学的な建築による自然乾燥ハウスづくりと利用方法において各種の活用体験（ワークショップ）の一例図。１６は、活用体験（ワークショップ）ハウスを示す看板であり、１７は、杉玉づくりを体験している状況であり、１８は、完成した杉玉をハウスに飾ったものであり、１９は、竹とんぼづくり体験であり、２０は、竹の網かご作り体験であり、２１は、燻製料理体験であり、２２は、そばゆで、又はうどんゆで、又はカレー作り体験であり、２３は、料理の盛り合わせ体験であり、９は、地中に根を生やした生木の状態の立木を活かして基礎兼柱とするものであり、１０は、地表から見える箇所からできるだけ深いところまで杉皮をむいておくことで、根腐れ、害虫予防するようにしている。２４は、勉強会の体験であり、２５は、そば、うどん打ち体験であり、２６は、サラに絵を描く絵皿体験であり、２７は、陶芸体験であり、この他、本発明の樹林に立地した建物の下で、自然体験活動の拠点としてさまざまな活用体験（ワークショップ）が可能であり、このように森林の中の自然環境下で過ごすことで身体を元気にすることが可能になり、世界の森の樹木を有効活用をしながら、健康を保持することにつながると考える。
【産業上の利用可能性】
【００２８】  ヒト唾液の酸化還元電に（ＯＲＰ）測定手段を用いて、本発明の有効性を証明することができる。厚生労働省認可の医療機器として認証されているヒト唾液ＯＲＰ測定装置を用いて、本発明の生きた立木の杉を柱として組み上げた、生物学的建築物の天井に自然乾燥した杉材の屋根板を設けた建築空間の中で、杉材自然乾燥作業や自然乾燥材した杉材活用の収納容器づくり、杉林の中に設けられた本発明の建築空間で、杉林の空気を吸いながらの食事体験、各種の物づくり体験などを通じて、一定の時間を過ごす事が、人間の体に還元作用がもたらされ、身体を元気にし免疫力を高める結果となるという証明につなげるようにしたのである。本発明の活用は、杉林に限定することなく、日本国内だけでなく、地球上の各種類の樹木の森も対象とし、それらの計画的な有効活用は地球環境保全に貢献するとともに、活動に参加する人々の体調を整え、健康寿命の延長にもつながると考られる。
【符合の説明】
【００２９】  １  本発明の生物学的建築と杉林の活用の一例図。
２  屋根。
３  土壌に根を生やした生木の状態の立木を活用した基礎兼柱
４  間伐、又は風雪などで倒木した杉を、本発明が意図とする自然乾燥させるために杉の丸木を移動するための吊るすチェーンを装備。
５  本発明による生物学的建築の自然乾燥のためのハウスが立地する杉林。
６  自然乾燥させるハウスと並んで丸木を板に加工。
７  伐採した丸太をそのまま活用した梁。
８  丸木積み上げの小型リフト。
９  地中に根を生やした生木の状態の立木をを活用して基礎柱とするものである。
１０  柱の地表から見える箇所からさらに、できるだけ地中の深いところまで、樹皮をむいておくことで、根腐れ害虫予防するようにしている。
１１  杉の丸木を皮をむいた後、交互に積み上げて空気の流入を良くして自然乾燥させる。
１２  積み上げた丸木がばらけないように安全性に考慮したストッパー。
１３  杉林の自然乾燥ハウスの中で作業する人たちはヘルメットかぶり、安全作業服を着用して作業する。
１４  ハウス１棟ごとに番号を付ける。
１５  本発明の杉林の活用体験（ワークショップ）の一例図。
１６  活用体験（ワークショップ）ハウスを示す看板。
１７  杉玉づくりを体験している状況。
１８  完成した杉玉をハウスに飾った状態。
１９  竹とんぼづくり体験。
２０  竹の網かご作り体験。
２１  蒸し焼き料理体験など。
２２  そばゆで、又はうどんゆで、カレー作り体験。
２３  料理の盛り合わせ体験。
２４  勉強会の体験。
２５  そば・うどん打ち体験。
２６  サラに絵を描く絵皿体験。
２７  陶芸体験。
【図１】
0006550551.tif 000004
【図２】
0006550551.tif 000005